(57)【要約】      （修正有）【課題】材料コストが安く、製作が容易であり、使用感が快適で、種々の形態のものを製作することができる泡立て具を提供する。【解決手段】本泡立て具Ａは、上下に開口する筒状ネット体１０と、膨らみ部３１と紐部３２とを有する吊り紐３０と、吊り紐３０の膨らみ部３１をネット体１０に固定するための固定具３５と、中央に貫通孔４１を有するスポンジ体４０とから構成したものである。【選択図】図４
0003163447.tif 000002
【実用新案登録請求の範囲】
【請求項１】
上下に開口する筒状のネット体と、膨らみ部と紐部とを有する吊り紐と、中央に貫通孔を有するスポンジ体とからなり、
前記ネット体は、筒状ネットを長さ方向に中央で折り返した２枚重ねの構造であって、ネット体の下端開口縁は折り返し側とし、
前記スポンジ体は、折返した２枚重ねのネット体の内側ネットを該スポンジ体の貫通孔に挿通し、ネット体の外側ネットにより該スポンジ体を包むことにより、２枚重ねのネット体の内側ネットと外側ネットとの間に位置するように構成し、
前記吊り紐は、その紐部をネット体における内側ネットの上端開口部に挿入して、吊り紐の膨らみ部をネット体の上端開口部により包み込んでネット体の上端開口部を引き絞る固定具により吊り紐の膨らみ部を固定し、吊り紐の紐部をネット体に包まれたスポンジ体の貫通孔から引き出してネット体上端開口部を吊り紐の膨らみ部と共にスポンジ体の貫通孔内に位置させてなることを特徴とする洗顔用泡立て具。
【請求項２】
上下に開口する筒状のネット体と、膨らみ部と紐部とを有する吊り紐と、中央に貫通孔を有するスポンジ体とからなり、
前記ネット体は、筒状ネットを長さ方向に中央で折り返した２枚重ねの構造であって、ネット体の下端開口縁は折り返し側とし、
前記スポンジ体は、折返した２枚重ねのネット体の内側ネットを該スポンジ体の貫通孔に挿通し、ネット体の外側ネットにより該スポンジ体を包むことにより、２枚重ねのネット体の内側ネットと外側ネットとの間に位置するように構成し、
前記吊り紐は、その紐部をネット体における内側ネットの上端開口部に挿入して、吊り紐の膨らみ部をネット体の上端開口部により包み込んでネット体の上端開口部を引き絞る固定具により吊り紐の膨らみ部を固定し、吊り紐の紐部をネット体に包まれたスポンジ体の貫通孔から引き出してネット体上端開口部を吊り紐の膨らみ部と共にスポンジ体の貫通孔から抜き出し、
他のスポンジ塊をスポンジ体の貫通孔からスポンジ体上方のネット体内に挿入してスポンジ体への洗剤を添加するための洗剤計量用の窪み部を形成してなることを特徴とする洗顔用泡立て具。
【考案の詳細な説明】
【技術分野】
【０００１】
本考案は、洗顔や手洗いの際などに使用するものであって、粉石鹸、固形石鹸又は液体石鹸などの洗剤を泡立てるために使用する泡立て具に関する。
【背景技術】
【０００２】
従来より、洗顔の際に洗剤を泡立てる洗顔用泡立て具（以下、単に「泡立て具」という。）が使用されている。例えば下記特許文献１に示される泡立て具が考案されたが、筒状ネットを複数回折り返し、一方の端部を絞り、他方の端部を開放させた多重ネットよりなるものである。ところが、この泡立て具は紐状に延びるようなものなのでボリューム感がなく、泡立て効果に劣るという問題があった。
【０００３】
そこで、上記の問題を解決するために特許文献２に示される泡立て具が考案された。この泡立て具は、筒状に編成された本体ネットと、筒状の補強用ネットを用い、補強用ネットを多重に折り返した状態で本体ネットの長さ方向中間部に被せ、この状態で本体ネットで補強用ネットを包むように本体ネットを長さ方向中間部で折り返して２重構造とし、本体ネットで補強用ネットを包んだ状態で、本体ネットの遊端部同士を揃え、この状態で本体ネットの遊端部側開口部に吊り紐の団子状の結び部が位置するように吊り紐を２重構造の本体ネット内に差し込み、この状態で本体ネットの遊端部側開口部を絞るように閉じて、吊り紐を本体ネットの折り返し端部側から引っ張っても団子状の結び部が絞り部で止まって抜けないように構成し、吊り紐を本体ネットの折り返し端部側から引っ張り、本体ネットで補強用ネットを包んだ状態で全体を裏返して構成したものである。
【先行技術文献】
【特許文献】
【０００４】
【特許文献１】特開２０００−２４５６４９号公報
【特許文献２】特開２００９−０６１１２９号公報
【考案の概要】
【考案が解決しようとする課題】
【０００５】
しかしながら、上記特許文献２に示される泡立て具は、２つの筒状のネットを必要とし、しかも、筒状ネットを多重になるように複数回折り返してボリュームを出すため、長尺のネットが必要となり（実施例においては本体ネットが２３ｃｍ、補強用ネットが４５ｃｍ）、材料費が高くつく欠点があり、かつ、製作が面倒という欠点がある。また、筒状ネットを多重に複数回折り返し、その内部に吊り紐の結び部が位置するように構成されているが、ネットのみからなる構成であるため、吊り紐の結び部の紐端縁の切断繊維端がネットの隙間から突出して使用時にチクチクした不快感を感じさせるおそれがある。さらに、筒状ネットを多重に複数回折り返して構成するため必然的に泡立て具の形態がカボチャ型をなし、それ以外の形態を製作することができないため、形状のバリエーションに乏しいという欠点がある。
【０００６】
そこで、本考案者は、鋭意研究を重ねた結果、材料コストが安く、製作が容易であり、使用感が快適で、種々の形態のものを製作することができる泡立て具を開発した。
【課題を解決するための手段】
【０００７】
本考案に係る洗顔用泡立て具は、上下に開口する筒状のネット体と、膨らみ部と紐部とを有する吊り紐と、中央に貫通孔を有するスポンジ体とからなり、前記ネット体は、筒状ネットを長さ方向に中央で折り返した２枚重ねの構造であって、ネット体の下端開口縁は折り返し側とし、前記スポンジ体は、折返した２枚重ねのネット体の内側ネットを該スポンジ体の貫通孔に挿通し、ネット体の外側ネットにより該スポンジ体を包むことにより、２枚重ねのネット体の内側ネットと外側ネットとの間に位置するように構成し、前記吊り紐は、その紐部をネット体における内側ネットの上端開口部に挿入して、吊り紐の膨らみ部をネット体の上端開口部により包み込んでネット体の上端開口部を引き絞る固定具により吊り紐の膨らみ部を固定し、吊り紐の紐部をネット体に包まれたスポンジ体の貫通孔から引き出してネット体上端開口部を吊り紐の膨らみ部と共にスポンジ体の貫通孔内に位置させて構成したものである。
【０００８】
上記のように構成したことにより、スポンジ体を内包したため、ネットに比較して保水性及びクッション性に優れているので、泡立て効果に抜群に優れると共に肌に対するソフト感に優れており、かつ、スポンジ体により泡立て具のボリュームを出しているため、筒状のネット体は比較的短いもので構成されるので、材料コストが安価となる。また、基本的には、スポンジ体を筒状のネット本体で包み込む構成であるため、組立が容易である。さらに、ネット体の長さは、スポンジ体における貫通孔とスポンジ体の半分外面とを周回する１周分の長さと等しいか又は１周分の長さより短くしているので、吊り紐の紐部を引っ張っても、吊り紐の膨らみ部及び吊り紐をネット体に固定する固定具がスポンジ体から抜け出ることがない。また、ネット体により包み込まれるスポンジ体を種々の形状に変化することが可能であるため好まれる形態の泡立て具を提供することができる。さらにまた、粉状の洗剤を使用するとき、スポンジ体の貫通孔に、洗剤を投入することができるので、こぼさず泡立て具内部に洗剤が行き渡るため、よりスムーズに泡立てが可能となる。
【０００９】
また、本考案に係る洗顔用泡立て具は、上下に開口する筒状のネット体と、膨らみ部と紐部とを有する吊り紐と、中央に貫通孔を有するスポンジ体とからなり、前記ネット体は、筒状ネットを長さ方向に中央で折り返した２枚重ねの構造であって、ネット体の下端開口縁は折り返し側とし、前記スポンジ体は、折返した２枚重ねのネット体の内側ネットを該スポンジ体の貫通孔に挿通し、ネット体の外側ネットにより該スポンジ体を包むことにより、２枚重ねのネット体の内側ネットと外側ネットとの間に位置するように構成し、前記吊り紐は、その紐部をネット体における内側ネットの上端開口部に挿入して、吊り紐の膨らみ部をネット体の上端開口部により包み込んでネット体の上端開口部を引き絞る固定具により吊り紐の膨らみ部を固定し、吊り紐の紐部をネット体に包まれたスポンジ体の貫通孔から引き出してネット体上端開口部を吊り紐の膨らみ部と共にスポンジ体の貫通孔から抜き出し、他のスポンジ塊をスポンジ体の貫通孔からスポンジ体上方のネット体内に挿入してスポンジ体への洗剤を添加するための洗剤計量用の窪み部を形成してなる構成としてもよい。
【００１０】
このように構成した場合には、スポンジ体とスポンジ塊とで構成することで、さらにボリュームがでると共に、計量部が形成されるため、常にほぼ適量の洗剤を使用することができるので、洗剤の使用量が多すぎたり、少なすぎたりすることがなく、洗剤の使用量の節約となる。
【考案の効果】
【００１１】
上記のように構成した本考案に係る泡立て具は、泡立て効果に優れると共に肌触りに優れ、材料コストが安価で、組立が容易であり、使用時の不快感や違和感を全く感じさせず、種々の形態のものが製作でき、しかも洗剤の使用料が節約でき、計量も可能な従来にない優れた利点を有するものである。
【図面の簡単な説明】
【００１２】
【図１】本考案の実施例１に係る泡立てネット体を形成する状態を示す斜視図であり、図中（ａ）はネット体を形成するためのネット体を示し、（ｂ）はネット体の完成図を示す。
【図２】本考案の実施例１に係る泡立て具のスポンジ体をネット体に装着する形態を示す斜視図であり、図中（ａ）はスポンジ体装着前の状態を示し、（ｂ）は吊り紐取り付け前の状態を示し（ｃ）は吊り紐取り付け後の状態を示す。
【図３】本考案の実施例１に係る泡立て具の紐部を引っ張り、吊り紐の紐部のみをスポンジ体の上方に引き出した状態にし、吊り紐の膨らみ部とその上方の固定具がスポンジ体の貫通孔の内部に位置する状態を示す斜視図である。
【図４】本考案の実施例１に係る泡立て具の内部構造を示す縦中央断面図である。
【図５】本考案の実施例２に係る泡立て具のネット体にスポンジ体と吊り紐を取り付ける状態を示す斜視図であり、図中、図５（ａ）はスポンジ体装着前の状態を示し、図５（ｂ）は吊り紐取り付け前の状態を示し、図５（ｃ）は吊り紐取り付け後の状態を示す。
【図６】本考案の実施例２に係る泡立て具のネット体にスポンジ体と吊り紐を取り付ける状態を示す斜視図であり、図中、図６（ａ）は２つ目のスポンジ体装着前の状態を示し、図６（ｂ）はスポンジ体装着後の状態を示し、図６（ｃ）は洗剤計量用の窪み部を示す。
【図７】本考案の実施例２に係る泡立て具の内部構造を示す縦中央断面図である。
【考案を実施するための形態】
【００１３】
以下に、本考案に係る泡立て具の実施例を添付の図面に基づいて詳細に説明する。なお図１〜図４は実施例１を示し、図５及び図７は実施例２を示す。
【実施例１】
【００１４】
本考案に係る泡立て具Ａは、上下に開口する筒状ネット体１０と、吊り紐３０と、中央に貫通孔４１を有するスポンジ体４０とからなるものである。スポンジ体４０は、ウレタンフォームから形成されている。
【００１５】
前記ネット体１０は、図１（ａ）に示すように長さ方向中央の位置にて下半分を上半分の内側に位置するように折り返した２枚重ねの構造である。また、ネット体１０の長さは、スポンジ体４０における貫通孔４１とスポンジ体４０の半分外面とを周回する１周分の長さと等しくしている。吊り紐３０は、図２（ｂ）に示すように、１本のリボンテープの両端部を結んだことにより形成される結び目による膨らみ部３１とループ状の紐部３２とを有する。そして図２に示すように、ネット体１０の内側ネット１１をスポンジ体４０の貫通孔４１に挿通させ、ネット体１０の間に位置するようにする。そして、吊り紐３０のループ状の紐部３２からネット体１０の内側ネット１１に挿入して吊り紐３０の膨らみ部３１をネット体１０の、上端開口部１２により包み込み、吊り紐３０の膨らみ部３１の紐部側においてネット体１０の、上端開口部１２を固定具３５により閉塞することにより、ネット体１０に吊り紐３０が固定される。固定具３５は複数本の紐を束ね、引き絞ることにより結束する結束具を適当に切断したもので対応可能であるが、上端開口部１２が閉塞でき、紐部３２を引っ張ってもネット体１０から膨らみ部３１が抜け出さず、異物感を感じさせず、小型のものであれば、どのようなものでもよい。
【００１６】
紐部３２を引っ張り、図３に示されるように、前記の吊り紐３０の紐部３２のみをスポンジ体４０の上方に引き出した状態にし、図４に示されるように、吊り紐３０の膨らみ部３１とその上方の固定具３５がスポンジ体４０の貫通孔４１の内部に位置することとなる。
【００１７】
本実施例における泡立て具Ａは、ネット体１０の内部にスポンジ体４０が内包されているので、ネット単体のみからなる泡立て具に比較して保水性及びクッション性に優れ、その結果、泡立て効果が抜群に優れ、かつ、肌に対するソフト感に優れる。また、スポンジ体４０により泡立て具Ａのボリュームを出しているため、筒状のネット体１０はスポンジ体４０をくるむ程度の比較的短い長さですむので、材料コストが安価となる。また、前述したように、スポンジ体４０を筒状のネット本体１０で包み込む構成であるため、組立が容易である。さらに、吊り紐３０の膨らみ部３１がスポンジ体４０の中央貫通孔４１内に位置することになるため、吊り紐３０の紐端縁の切断繊維端がスポンジ体４０を通過することがない。したがって、切断繊維端が泡立て具Ａの外表面に突出するおそれがなく、使用感が快適である。さらにまた、ネット体１０の長さは、スポンジ体４０における貫通孔４１とスポンジ体４０の半分外面とを周回する１周分の長さと等しくしているので、吊り紐３０の紐部３２を強く引っ張っても、吊り紐３０の膨らみ部３１及び吊り紐３０をネット体１０に固定する固定具３５がスポンジ体４０から抜け出ることがない。また、ネット体１０により包み込まれるスポンジ体４０の形状を変化させると、種々の形態の泡立て具を提供することが可能となる。さらにスポンジ体４０における貫通孔４１は、これをスポンジ体へ洗剤を添加するための洗剤計量用の窪み部として利用することができ、常にほぼ適量の洗剤を使用することができるので、洗剤の使用量が多すぎたり、少なすぎたりすることがなく、洗剤使用料の節約となる。
【実施例２】
【００１８】
実施例２は上記実施例１の一部を変更したものである。上記実施例１においてのスポンジ体はネット体１０で包まれたスポンジ体４０のみの構成であるが、本実施例においてはスポンジ体を、図５（ａ）（ｂ）（ｃ）及び図６（ａ）（ｂ）（ｃ）に示すように、貫通孔の４１が存在するスポンジ体４０と、貫通孔が存在しないスポンジ塊５０を、ネット体１０に包まれたスポンジ体４０の貫通孔２０を挿通させ、ネット体１０の内側に位置させるものである。その余の構成は実施例１と全て同様であるので、その説明は実施例１を援用し、本実施例においては省略する。
【００１９】
本実施例における泡立て具Ｂは、図６（ｃ）に示す計量部２０により、スポンジ体４０へ洗剤を添加するための洗剤計量用として使用するものである。なおこの計量部２０は、スポンジ体の厚み、貫通孔４１のサイズ、スポンジ体の形状を変えることで計量できる量を調節することを特長としているため、計量部２０はこの形状に限られるものではなく、スポンジ体の外表面に適量の洗剤を受容する形状の窪み部であればよい。
【００２０】
このようにスポンジ体４０の外表面に適量の洗剤を受容する形状の窪み部を形成した場合には、計量部２０で常にほぼ適量の洗剤を使用することができるので、洗剤の使用量が多すぎたり、少なすぎたりすることがなく、洗剤使用料の節約となる。
【符号の説明】
【００２１】
Ａ・・・・泡立て具（実施例１）
１０’・・筒状ネット
１０・・・ネット体
１１・・・内側ネット（下端開口縁）
１２・・・上端開口部
２０・・・計量部
３０・・・吊り紐
３１・・・膨らみ部
３２・・・紐部
３５・・・固定具
４０・・・スポンジ体
４１・・・貫通孔
Ｂ・・・・泡立て具（実施例２）
５０・・・スポンジ塊
【図１】
0003163447.tif 000003
【図２】
0003163447.tif 000004
【図３】
0003163447.tif 000005
【図４】
0003163447.tif 000006
【図５】
0003163447.tif 000007
【図６】
0003163447.tif 000008
【図７】
0003163447.tif 000009